(57)【特許請求の範囲】
【請求項１】
器体内にポーション容器を収容可能な無蓋の自立した器体であって、ポーション容器の上面周縁部を載置する受け面を器体の内壁上部に、押え片を前記受け面の内壁の上下位置より上方となる内周壁に形成してあること、押え片と受け面との上下間隔は蓋用シートを接着した上面周縁部の厚さに相当すること、収容したポーション容器の舌片とに余裕空間を有する突出部が器体に連設されていることを特徴とするポーション容器の保持具。
【請求項２】
受け面が三カ所以上、及び押え片が二箇所以上形成されていることを特徴とする請求項１記載のポーション容器の保持具。
【請求項３】
押え片が受け面に対向して設けられていることを特徴とする請求項１又は２記載のポーション容器の保持具。
【請求項４】
突出部が注ぎ口であることを特徴とする請求項１乃至３のいずれかに記載のポーション容器の保持具。
【請求項５】
器体の内側面がテーパー面であることを特徴とする請求項１乃至４のいずれかに記載のポーション容器の保持具。
【請求項６】
ポーション容器の外側面に当接する凸部が、器体の内壁に突設されていることを特徴とする請求項１乃至５のいずれかに記載のポーション容器の保持具。
【請求項７】
ポーション容器の外側面に当接する凸条が、受け面から垂下して形成されていることを特徴とする請求項１乃至５のいずれかに記載のポーション容器の保持具。
【請求項８】
器体の外側面に摘み部を設けたことを特徴とする請求項１乃至７のいずれかに記載のポーション容器の保持具。
【発明の詳細な説明】
【技術分野】
【０００１】
本発明は１人前用のミルク、シロップ、バターまたはジャム等を充填して、レストランや家庭において、食べ物や飲み物に付随して提供されるポーション容器の保持具に関するものである。
【背景技術】
【０００２】
ポーション容器は、１人前用のミルク、シロップ、バターまたはジャム等を充填する凹部を備えて円形箱状または四角形等の多角形の箱状に形成されている。
そして、前記凹部の上面周縁部一端には舌片が突設されると共に、上面周縁部と舌片の一部に蓋用シートが接着されている。
また、前記舌片には蓋用シートを剥がし易くするための段部等が設けられているものもある。
【０００３】
この様なポーション容器は、例えばコーヒー皿の上に置かれたコーヒーカップの脇に添えて置かれたり、別の器に入れられてコーヒーカップと共に添えて出されたり、或は前もってテーブルの上の器に入れられて置いてあったりするのである。
そして、使用後は皿の周縁や皿の近傍のテーブル上に置いておくことになる。
【先行技術文献】
【特許文献】
【０００４】
【特許文献１】特開２００８−１７３２１５号公報
【特許文献２】実用新案登録第３０３５０６０号公報
【特許文献３】実用新案登録第３１４４５３０号公報
【発明の概要】
【発明が解決しようとする課題】
【０００５】
料理や飲み物の皿や器に添えてポーション容器をそのまま提供することは、体裁が好ましくなく、特に料理や飲み物の質との関係や、食器類にこだわりがあるものを使用しても、ポーション容器のままの状態でテーブル上に並ぶのは、相応しくないものとなる。
【０００６】
そして、例えば、コーヒー皿の周縁に添えて置かれると、コーヒーカップの持ち上げた際に、ポーション容器が皿の中心部に滑り落ちることがあり、持ち上げたカップを皿の上に戻す都度ポーション容器を置き直す煩雑さを強いられ、また、使用後は置き場所に限らず、容器が倒れると残った内溶液が垂れ出て見苦しい状態となるのである。
【０００７】
さらに、液体用のポーション容器は、シートを被着した上面周縁部は固く、それ以外の部分は柔らかく成型されているため、使用に際し持ちにくく、蓋となっているシートを引き剥がし開封する時、柔らかい胴体部に大きな負荷をかけてしまって中身が飛び出てしまうこともある。
【０００８】
そこで、本発明はポーション容器の保持具を提供し、ポーション容器の提供時の体裁や、飲食物や食器とのバランスを良好なものとし、独立した食品としての存在感を高め、ポーション容器の取り扱いを容易かつ確実に行えるようにしようとするものである。
【課題を解決するための手段】
【０００９】
本発明に係る請求項１のポーション容器の保持具は、器体内にポーション容器を収容可能な無蓋の自立した器体であって、ポーション容器の上面周縁部を載置する受け面を器体の内壁上部に、押え片を前記受け面の内壁の上下位置より上方となる内周壁に形成してあること、押え片と受け面との上下間隔は蓋用シートを接着した上面周縁部の厚さに相当すること、収容したポーション容器の舌片とに余裕空間を有する突出部が器体に連設されていることを特徴とするものである。
【００１０】
そして、請求項２は請求項１のポーション容器の保持具において、受け面が三カ所以上、及び押え片が二箇所以上形成されていることを特徴とするものであり、請求項３は請求項１又は２のポーション容器の保持具において、押え片が受け面に対向して設けられていることを特徴とするものである。
【００１１】
また、請求項４は請求項１乃至３のいずれかのポーション容器の保持具において、突出部が注ぎ口であることを特徴とすし、請求項５は請求項１乃至４のいずれかのポーション容器の保持具において、器体の内側面がテーパー面であることを特徴とするものである。
【００１２】
また、請求項６は請求項１乃至５のいずれかのポーション容器の保持具において、ポーション容器の外側面に当接する凸部が、器体の内壁に突設されていることを特徴とするものであり、請求項７は同じくポーション容器の外側面に当接する凸条が、受け面から垂下して形成されていることを特徴とするものである。
【００１３】
さらに、請求項８は請求項１乃至７のいずれかのポーション容器の保持具において、器体の外側面に摘み部を設けたことを特徴とするものである。
【発明の効果】
【００１４】
請求項１の発明は、ポーション容器を本願の保持具に収容して提供するものであるから、保持具は自立して設置でき、木、金属や陶磁器等の任意の素材で形成すれば、見栄えのする食器としての存在感を得られる効果を発揮するものである。
【００１５】
また、ポーション容器の上面周縁部を載置する受け面を器体の内壁上部に、押え片を前記受け面の内壁の上下位置より上方となる内周壁に形成し、押え片と受け面との上下間隔は蓋用シートを接着した上面周縁部の厚さに相当するため、ポーション容器の上面周縁部を押え片と受け面とで挟持し固定して収容することができる効果を有する。
【００１６】
そして、収容したポーション容器の舌片とに余裕空間を有する突出部が器体に連設されているため、その余裕空間を利用して、ポーション容器を保持具に収容したままで蓋用シートを剥がして内容物の使用が可能となり、使用後もそのまま収容した状態で放置・片付けを行えばよく、ポーション容器の取り扱いを容易かつ確実に行える効果を有するものである。
【００１７】
請求項２の発明は、請求項１の効果に加え、受け面が三カ所以上、及び押え片が二箇所以上形成されているため、極めて安定した挟持によってポーション容器を保持具の器体内に収容かつ固定できる効果を有する。
【００１８】
請求項３の発明は、請求項１又は２の効果に加え、押え片が受け面に対向して設けられているため、ポーション容器の上面周縁部の挟持をより確実に行える効果を発揮する。
【００１９】
請求項４の発明は、請求項１乃至３の効果に加え、器体の突出部が注ぎ口であるため、ミルクやシロップ等の液体を充填したポーション容器では、舌片と一致させて収容すれば、蓋用シートを剥がしと共に、器体の注ぎ口をから確実に注ぐことができ、舌片から垂れた液も器体内に落下して収容できるため、周囲の汚染を阻止できる効果を有する。
【００２０】
請求項５の発明は、請求項１乃至４の効果に加え、器体の内側面がテーパー面とし、収容したポーション容器の下部が器体の内壁面と当接して安定した収容が期待でき、また、ポーション容器が浮き上がるような作用を受けても、押え片の押圧作用が生じ、何れにしても挟持力が高まる効果を発揮する。
【００２１】
請求項６の発明は、請求項１乃至５の効果に加え、ポーション容器の外側面に当接する凸部が、器体の内壁に突設されているため、又、請求項７の発明もポーション容器の外側面に当接する凸条が、受け面から垂下して形成されているため、前記請求項５と同様の作用を奏しポーション容器の挟持力が高まる効果を発揮する。
【００２２】
請求項８の発明は、請求項１乃至７の効果に加え、器体の外側面に摘み部を設けてあるため、その摘み部を把持して操作することで、取り扱いが容易となる効果を有するのである。
【図面の簡単な説明】
【００２３】
【図１】本発明の保持具の一実施の形態を示す斜視図である。
【図２】本発明の保持具の他の実施の形態を示す斜視図である。
【図３】本発明の保持具の使用の状態を示す縦断正面図である。
【図４】本発明の保持具の他の実施の形態を示す一部縦断正面図である。
【図５】本発明の保持具の他の実施の形態を示す平面図である。
【発明を実施するための形態】
【００２４】
本発明に実施の形態を図面に基づいて説明する。
図１は本発明の保持具の一実施の形態を示す斜視図であり、ジャムやバター等を充填するポーション容器を収容するための保持具である。
保持具１は、無蓋の自立した器体２であって、器体２の内部にポーション容器を収容すべく、ポーション容器がすっぽりと収容可能な大きさの形態としてある。
【００２５】
器体２の上面に数箇所（図１では２箇所）に内方へ突設した押え片３が形成され、この押え片３の下面より低い位置に上面を平面とした受け面４を器体２の内壁に突き出して形成してある。
押え片３と受け面４との上下間隔は、ポーション容器の蓋用シートを接着した上面周縁部の厚さに相当するものとし、ポーション容器の上面周縁部が押え片３と受け面４とに挟持されるように保持具１の器体２の中に収容できるものと成っている。
【００２６】
図１では押え片３と受け面４とは特別の関係は有しないけれど、後述のように上下位置に対向して設けても良く、また、設置数も同一とする必要はないけれど、安定した上面周縁部の載置と押圧固定を考慮すると、最小数として受け面４を三カ所以上、及び押え片３を二箇所以上に設定するのが適当である。
【００２７】
また、ポーション容器の舌片に対応して器体２に突出部５が連設してあり、収容するポーション容器の舌片との周囲に余裕空間を有する大きさとしてあり、蓋用シートの引き剥がしての開封を支障なく容易に出来るようにしてある。
【００２８】
図２は本発明の保持具の他の実施の形態を示す斜視図であり、ミルクやシロップ等の液体を充填するポーション容器を収容するための保持具である。
液体を充填するポーション容器は、使用時に蓋用シートを引き剥がして開封後、舌片の部分を注ぎ口として内溶液を目的のカップに注ぐものとなる。
図２では、収容時に舌片の位置に対応する器体２の突出部５を、先方を尖らせた注ぎ口５１の形状としてある。
【００２９】
図３は、本発明の保持具１に液体を充填したポーション容器１０を収容した使用の状態を示す縦断正面図であり、ポーション容器１０は想像線で表示してある。
また、押え片３と一部の受け面４は上下に対向した位置に突設し、ポーション容器１０の上面周縁部１１が押え片３と受け面４とに挟持されるものと成っている。
【００３０】
そこで、使用時において、ポーション容器１０を収容したまま器体２を持って傾ければ、内容液はポーション容器１０の舌片１２（先端部は蓋用シートと共に引き剥がされている。）から器体２の突出部５の基部に落下し、注ぎ口５１を経て目的のカップへ確実に注がれ、注入後にポーション容器１０の舌片１２から垂れる液は器体２内に流下して外部に漏れることを防止できるのである。
【００３１】
図４は、本発明の保持具１の他の実施の形態を示す一部縦断正面図である。
器体２の内側面をテーパー面６とし、また、ポーション容器の外側面に当接する凸部７を形成したものであり、凸部７は適宜位置に適当数配置できる。
収容したポーション容器の下部が器体の内壁面或いは凸部７と当接して支持して安定した収容が期待できる。
また、ポーション容器が浮き上がるような作用を受けても、押え片３の押圧作用が生じ、何れにしても挟持力が高まるものとなる。
【００３２】
図５は、本発明の保持具の他の実施の形態を示す平面図であり、凸条８を受け面４から垂下して形成したものである。
前記凸部７と同様の作用を奏しポーション容器の挟持力を高めるものとなる。
【符号の説明】
【００３３】
１    保持具
２    器体
３    押え片
４    受け面
５    突出部
５１  注ぎ口
６    テーパー面
７    凸部
８    凸条
９    摘み部
１０  ポーション容器
１１  上面周縁部
１２  舌片
１３  蓋用シート
【図１】
0005480602.tif 000002
【図２】
0005480602.tif 000003
【図３】
0005480602.tif 000004
【図４】
0005480602.tif 000005
【図５】
0005480602.tif 000006